(57)【要約】【課題】装着中に脱げる心配がなく美しい動作で履きこなせるばかりか、履く者が正しい姿勢を保つことができるハイヒールを提供すること。【解決手段】柔軟かつ薄手の素材で形成されたハイヒールにおいて、履き口の両側部には当該両側部を連結して足甲部を押圧可能な横紐又はX状の交差紐からなる係止ベルトと、前記履き口の縁部には当該履き口を収縮自在な係止紐を取り付け、踵側にはヒール部を形成する。【選択図】      図１
2010057648.tif 000002
【特許請求の範囲】
【請求項１】
柔軟かつ薄手の素材で形成され、履き口の両側部には当該両側部を連結して足甲部を押圧可能な係止ベルトと、前記履き口の縁部には当該履き口を収縮自在な係止紐を取り付け、踵側にはヒールを形成したことを特徴とするハイヒール。
【請求項２】
前記係止ベルトは、前記足甲部に対する横紐又はX状の交差紐であることを特徴とする請求項１に記載のハイヒール。
【請求項３】
硬質素材で形成され、外形が幅広の略四角形であり、内形が幅広の足指全体の形状に合わせた凹部を有する保護部を前記ハイヒールの先端部に取り付けたことを特徴とする請求項１から２に記載のハイヒール。
【発明の詳細な説明】
【技術分野】
【０００１】
この発明は、柔軟かつ薄手の素材で形成され、履き口に係止ベルト及び係止紐を取り付けることで、足に密着して脱げ難く、履く者が美しい動作と正しい姿勢を保つことができるハイヒールを提供することを目的とする。
【背景技術】
【０００２】
底の低い靴を履き、内股歩きをしていると、どうしても体の重心が下方かつ外側に向かうため、足も外側に向かってお尻もだらしなく垂れてしまう。したがって、図２に示すように、ハイヒールを履けば、ヒールの分だけ背が高くなるのみならず、重心が中央に集まり、足の裏からお尻までの筋肉が持ち上がることで、体のシルエットも美しくなると一般に言われている。
【０００３】
しかし、そのような優れた効果があるハイヒールを履きこなすことは容易ではない。というのは、図４に示すように、踵側が高くなるため体の重心が取り難く、どうしても歩く動作が不安定になる。足６４に密着していないハイヒール６０は、隙間６６が容易に出来て脱げ易く、また、きちんと装着されると逆に指先６８が圧迫され、ひどい場合には外反母趾を生ずることもある。
【０００４】
一方で、靴と足の一体性が最も必要とされる動作にバレエがある。例えば、バレエシューズは、薄手の素材で全体を形成し、履き口に係止ベルトを取り付け、偏平な底部を偏平に形成して、靴と足の密着を図っている。その結果、バレエにおける美しい動作の表現を可能にしている。
【０００５】
【特許文献１】特開２００６−２８９００３号公報
【発明の開示】
【発明が解決しようとする課題】
【０００６】
本発明の目的は、柔軟かつ薄手の素材で全体を形成し、かつ係止ベルト及び係止紐を使用することで、装着中に脱げる心配がなく美しい動作で履きこなせるばかりか、履く者が正しい姿勢を保つことができ、ハイヒールのもつ本来の効果を十分に発揮することができるハイヒールを提供することを目的とする。
【課題を解決するための手段】
【０００７】
上記課題を解決するために、請求項１に記載された本発明は、柔軟かつ薄手の素材で形成され、履き口の両側部には当該両側部を連結して足甲部を押圧可能な係止ベルトと、前記履き口の縁部には当該履き口を収縮自在な係止紐を取り付け、踵側にはヒールを形成したハイヒールであることを特徴とする。
【０００８】
また、本発明においては、前記係止ベルトは、前記足甲部に対する横紐又はX状の交差紐であることが好ましい。さらに、本発明においては、硬質素材で形成され、外形が幅広の略四角形であり、内形が幅広の足指全体の形状に合わせた凹部を有する保護部を前記ハイヒールの先端部に取り付けることができる。
【発明の効果】
【０００９】
本発明に係るハイヒールによれば、踵側が高くなっても脱げ難く、体の重心を安定させて履きこなすことができる。その結果、履く者が美しい動作と正しい姿勢を実現するというハイヒール本来の利点を十分に発揮できる。また、係止ベルトと係止紐による密着効果で、足の形に合わせてハイヒールはフィットし、足の裏と同様に反りかえることもできる。さらには、先端部に保護部を取り付けることで、指先の圧迫を軽減し、指先の痛みや外反母趾を防止ずることもできる。
【発明を実施するための最良の形態】
【００１０】
以下、本発明に係る靴の好ましい実施例を図面により詳細に説明する。図１において、（ａ）第１ハイヒールを着用して歩く状態を示す斜視図、（ｂ）はその足元部分を拡大した斜視図、（ｃ）は第１ハイヒールの断面図である。
【００１１】
第１ハイヒール１０は、例えば、布、サテン等の柔軟かつ薄手の素材を使用し、縫製等の一般的な製法で製造されるものであるが、第１ハイヒール１０の履き口１３の上方に、その両側部１５を連結する横紐からなる係止ベルト１７が取り付けられている。この係止ベルト１７は、例えば、ゴムのような弾性に富む素材で長さ調節可能に形成される。
【００１２】
また、第１ヒール１０の履き口１３の縁部は、全体的に折り返されて袋体１８が形成され、その袋体１８内には係止紐２０が枢動自在に挿通される（図示せず。）。係止紐２０の両端を締結する位置を変化させることで、履き口１３を収縮させることができる。
【００１３】
さらに、第１ヒール１０の踵側には、例えば、３〜９ｃｍの高さで、３ｃｍｍの最大直径で先端に従い細身となる硬質な樹脂素材によるヒール１２が取り付けられている。
【００１４】
ここで、第１ハイヒール１０を使用する方法は、係止ベルト１７を外側に引っ張り、履き口１３を大きく開口させた状態で足１４を挿入し、さらに掃き口１３を足１４に合わせて係止紐２０を締結する。柔軟かつ薄手の素材で形成されている第１ハイヒール１０は、係止ベルト１７が足甲部１４ａを押圧し、かつ足１４のサイズより余る部分は係止紐２０による収縮で吸収されるので、第１ハイヒール１０は足１４に密着することができる。
【００１５】
よって、第１ハイヒール１０は、ヒール１２により踵側が高くなっても、歩行中に脱げることがない。体の重心も取り易くなり、美しい動作と正しい姿勢を保つことができ、本来のハイヒールの利点を最大に発揮することができる。また、係止ベルト１７と係止紐２０の作用によりつま先２９が前方に滑り難くなり、指先への負担を軽減することもできる。
【００１６】
図３において（ａ）第２ハイヒールを着用して歩く状態を示す斜視図、（ｂ）はその足元部分を拡大した斜視図、（ｃ）は第２ハイヒールの断面図である。
【００１７】
第２ハイヒール３０は、例えば、布、サテン等の柔軟かつ薄手の素材を使用し、縫製等の一般的な製法で製造されるものであるが、第２ハイヒール３０の履き口３３の上方と略中央には、その両側部３５を連結する横紐３７ｂとＸ状に中央と交差する交差紐３７ａからなる係止ベルトが取り付けられている。この係止ベルトは、例えば、ゴム等の弾性に富む素材であり、さらにスライド金具３７ｃを取り付けて、十分に長さ調節可能であるように形成される。
【００１８】
また、第２ハイヒール３０の履き口３３の縁部は、全体的に折り返されて袋体３５が形成され、その袋体３５内には係止紐４０が枢動自在に挿通される（図示せず。）。係止紐４０の両端を締結する位置を変化させることで、履き口３３を収縮させることができる。
【００１９】
さらに、第２ハイヒール３０の先端部には、例えば、プラスチックのような硬質な樹脂素材で形成され、外形が幅広の略四角形であり、内形が幅広の足指全体の形状に合わせた凹部を有する保護部３７が取り付けられている。
【００２０】
さらにくわえて、第２ハイヒール３０の踵側には、例えば、３〜９ｃｍの高さで、３ｃｍｍの最大直径で先端に従い細身となる硬質な樹脂素材によるヒール３２が取り付けられている。
【００２１】
ここで、第２ハイヒール３０を使用する方法は、横紐３７ｂからなる係止ベルトの係止金具３７ｃをスライドし、また弾性に富む交差紐３７ａを外側に引っ張り、履き口３３を大きく開口させた状態で足３４を挿入し、さらに掃き口３３を足３４に合わせて係止紐４０を締結する。柔軟かつ薄手の素材で形成されている第２ハイヒール３０は、係止ベルトが足甲部３４ａを押圧し、かつ足３４のサイズより余る部分が係止紐４０による収縮で吸収されるので、第２ハイヒール３０は足に密着することができる。
【００２２】
また、第２ハイヒール３０の先端内部には保護部３７が形成され、動作中に指先への加圧があっても、保護部３７が指先への負担を緩和して、つま先４９を痛めることはない。
【００２３】
よって、第２ハイヒール３０は、ヒール３２により踵側が高くなっても、歩行中に脱げることがない。体の重心も取り易くなり、美しい動作と正しい姿勢を保つことができ、本来のハイヒールの利点を最大に発揮することができる。また、係止ベルトと係止紐４０の作用によりつま先４９が前方に滑り難くなる。
【００２４】
以上、本発明が有利に適用される場合として、通常のハイヒールを、薄手の柔軟な素材で形成し、係止ベルトと係止紐を取り付ける場合のみを説明したが、どのようなタイプの靴であっても、デザインだけの違いだけであれば、本発明の範疇に含まれるのは当然である。
【００２５】
なお、本発明に係る靴を使用する際に、例えば、着用するストッキング等の色彩と靴の色彩を同一とすると、ハイヒールのヒール分で背が高くなるばかりか、足と靴が一体的になって、視覚的にも足を長く見せることができるという付加価値が生じ、本発明の効果も大きく達成され、その効果は特に椅子に座った時に顕著である。
【図面の簡単な説明】
【００２６】
【図１】（ａ）は第１ハイヒールを着用して歩く状態を示す斜視図、（ｂ）はその足元部分を拡大した斜視図、（ｃ）はその断面図である。
【図２】第１ハイヒールを着用して立つ姿勢を示す説明図である
【図３】第２ハイヒールを着用して歩く状態を示す斜視図、（ｂ）はその足元部分を拡大した斜視図、（ｃ）はその断面図である。
【図４】（ａ）は従来のハイヒールを着用して歩く状態を示す斜視図、（ｂ）はその足元部分を拡大した斜視図、（ｃ）はその断面図である。
【符号の説明】
【００２７】
１０  第１ハイヒール
１２  ヒール
１３  履き口
１４  足
１４ａ  足甲部
１５  両側部
１７  係止ベルト
１８  袋体
２０  係止紐
２９  つま先
３０  第２ハイヒール
３２  ヒール
３３  履き口
３４  足
３４ａ  足甲部
３５  両側部
３７  保護部
３７ａ  交差紐
３７ｂ  横紐
３７ｃ  係止金具
４０  係止紐
４９  つま先
６０  ハイヒール
６２  ヒール
６４  足
６６  隙間
６８  指先
【図１】
2010057648.tif 000003
【図２】
2010057648.tif 000004
【図３】
2010057648.tif 000005
【図４】
2010057648.tif 000006